(57)【要約】【課題】汎用されている３タイプの施錠機構に使用されている工具のいずれによっても解錠できる施錠機構を備えた地下空間構造物の開口部構造を提供する。【解決手段】蓋に第１、第２の工具２８，２９を使用できる工具孔Ａと第３の工具３０を使用できる工具孔Ｂとを設ける。受枠４の内面にフック受け６を設けると共に蓋３の裏面に錠部材１５を回動可能に配置する。錠部材１５には前記フック受け６に係合する錠部材フック２１と第１受動部１９、第２受動部２０を設ける。錠部材１５は、蓋３が閉じられている常時は錠部材１５に設けた錠部材フック２１が前記フック受け６の直下に位置した施錠状態にあり、前記工具孔Ａあるいは工具孔Ｂから挿し込まれる第１〜第３の工具のいずれかによって解錠される。【選択図】図１０
2015206238.tif 000002
【特許請求の範囲】
【請求項１】
地下空間構造物の地上開口部構造であって、地上開口部において、受枠に蓋が着脱可能に嵌合されるとともに、蓋に第１、第２の工具を使用できる工具孔Ａと第３の工具を使用できる工具孔Ｂとを設け、
受枠の内面にフック受けを設けると共に蓋の裏面に錠部材が回動可能に設けられ、錠部材に前記のフック受けに係合する錠部材フックが設けられており、錠部材は、蓋が閉じられている常時は錠部材に設けた錠部材フックが前記フック受けの直下に位置した施錠状態にあり、
前記工具孔Ａあるいは工具孔Ｂから差し込まれる第１〜第３の工具のいずれかにより、錠部材を前記のフック受けに錠部材フックが係合できる施錠状態から、施錠状態を解除した解錠状態とに操作可能とされている
ことを特徴とした地下空間構造物の地上開口部構造。
【請求項２】
解錠操作後、解錠に使用した工具で蓋が枠との食い込み状態から解放されることを特徴とした請求項１に記載の地下空間構造物の地上開口部構造。
【請求項３】
第１の工具が棒状ハンドルの先端にハンドルの軸線から屈曲して延びる首部を有し、前記による屈曲部を受枠との支点接触部にすると共に、首部の先端部に係合鈎を左右に張り出させた第１のＴ字形工具であり、第２の工具が棒状ハンドルの先端を前後方向に屈曲してフック形鈎に成形したフック形工具であり、第３の工具が棒状ハンドルの先端部に係合鈎を左右に張り出させた第２のＴ字形工具であることを特徴とした請求項１に記載の地下空間構造物の地上開口部構造。
【請求項４】
蓋において、工具孔Ａ、Ｂは、蓋の選定半径線ａに沿って工具孔Ａを外側として配置されており、
工具孔Ａは、蓋の外周縁から中心側へ延びた長孔であって、その中心側縁の裏面側に工具先端係合溝を備え、蓋を装着した状態でこの溝と受枠内面の前記フック受け上面との間に第１の工具の左右係合鈎を前記選定半径線ａ方向に配置して、あるいは第２の工具のフックをその前後方向を前記選定半径線ａ方向に配置して、いずれであっても選択して収容可能な差し込み空間が形成されており、
挿し込み空間に臨んで錠部材の上部が前記選定半径線ａと直交する軸線方向の軸部で回転可能に支持され、
錠部材は、前記軸部の回りに第１受動部と錠部材フック及び第２受動部を備え、
施錠状態において、第１受動部は前記差し込み空間内において、前記軸部に対して選定半径線ａ方向で外方に位置し、上端部が工具孔Ａの開口箇所近くに位置し、下部が前記フック受けの上面近くに位置しており、錠部材フックは受枠のフック受けの下方にフック受けと係合可能な箇所に位置しており、第２受動部は前記軸部に対して選定半径線ａの中心側で前記工具孔Ｂの直下まで延びており、
工具孔Ａに挿し込まれる第１の工具の係合鈎あるいはフック形鈎部によって、錠部材の第１受動部が下方へ回転されて錠部材フックがフック受けに対して解錠状態になると共に、第１の工具の係合鈎の一端あるいはフック形鈎のフック先端が前記の工具先端係合溝へ係合したこじり操作により、受枠に対する蓋の食い込みが解消され、
工具孔Ｂに挿し込まれる第３の工具により、錠部材の第２受動部が上方へ回転されて錠部材フックがフック受けに対して解錠状態になると共に、錠部材の一部が受枠に当接することによるこじりにより、受枠に対する蓋の食い込みが解消される、
ことを特徴とした、請求項１に記載の地下空間構造物の地上開口部構造。
【発明の詳細な説明】
【技術分野】
【０００１】
本発明は、地下空間構造物の地上開口部の構造に関する。
本願明細書でいう「地下空間構造物の地上開口部の構造」とは、下水道における地下埋設物，災害用トイレ蓋，災害用地下倉庫用蓋，地下構造施設等と地上とを通じる開口部を閉塞する大型鉄蓋，小型鉄蓋，マンホール蓋，汚水桝蓋，原子力，火力電力等、通信における地下施設機器や地下ケーブル等を保護する開閉可能な共同溝用鉄蓋，送電用鉄蓋，配電用鉄蓋，上水道やガス配管における路面下の埋設導管およびその付属機器と地上とを結ぶ開閉扉としての機能を有する防火貯水槽蓋，消火栓蓋，制水弁蓋，仕切弁蓋，空気弁蓋，ガス、配管用蓋，量水器蓋、道路側溝蓋、側溝格子蓋、農業用水蓋，宅内蓋、港湾・河川点検蓋等を総称する。
【背景技術】
【０００２】
例えば、下水道と地上は地下空間構造物（いわゆる、マンホール）でつながっている。地下空間構造物は地上に開口部を有し、開口部は、人や物が落下したり、悪臭が漏れたりするのを防ぐために、蓋（開口部蓋）で閉鎖してある。蓋は下水道からの風圧で吹き飛ばされたり、悪戯で外されたりしないよう、地上開口部に固定した受枠との間で施錠してある。
【０００３】
開口部蓋の施錠装置には様々な構造のものがある。
特許文献１の施錠装置は、受枠１０の内面に係止突起１２を設け、これに蓋側のフック４４が係合して施錠状態となる構造である。フック４４は施錠金具４０に設けられ、施錠金具４０は鉄蓋体２０（蓋）の周縁部裏面に枢軸４２で回動可能に吊持され、ばね部材６０で施錠方向に付勢されている。施錠金具４０はさらに上部に工具受け部４５を蓋の半径方向外側へ突出させて有し、この工具受け具４５は前記鉄蓋体２０の周縁部に半径方向内側に向けて形成した一端側が開放された長孔である鍵孔２１に臨んでいる。
【０００４】
このタイプの施錠装置を解錠するときは、先端をフック状に形成した工具Ｋを用いる。
工具Ｋは、先端部Ｋ１と踵部Ｋ２を備え、先端のフック状部分を鉄蓋体２０の前記鍵孔２１へ押し込み、先端部Ｋ１を鉄蓋体２０の裏面に係合させると同時に踵部Ｋ２で受け部４５を押し下げることで、施錠金具４０を回転させる（フックタイプと呼ぶ）。
なお、解錠した工具Ｋで鉄蓋体２０を持ち上げて、受枠１０から鉄蓋体２０をずらし、地下空間構造物の開口部を開放することができる。
【０００５】
特許文献２の施錠装置は、受枠２の内面に錠止突起２ｃを設け、これに蓋側の係合突起１１ａが係合して施錠状態となる構造である。係合突起１１ａは錠本体１１に設けられ、錠本体１１は蓋本体３の周縁部裏面に軸１１ｅで回動可能に吊持され、錘部１１ｂで施錠方向に付勢されている。錠本体１１はさらに上部に第１閉塞部１２ａを蓋の半径方向外側へ突出させて有し、この第１閉塞部１２ａは、前記蓋本体３の周縁部に半径方向内側に向けて形成した一端側が開放された長孔の形をした開口部３ｂに臨んでいる。この開口部３ｂの蓋裏面側には半径方向に沿って、外側ほど低くなる傾斜面とした下面３ｄを有するリブ状の壁が形成されている。（長孔タイプと呼ぶ）
【０００６】
このタイプの施錠装置を解錠するときは、棒状のハンドル部の先端に係合鈎が両側に張り出してＴ字形とされた工具２０を用いる。
工具２０を両側の係合鈎が蓋本体３の半径方向に沿った配置（縦配置）としてその先端部を蓋本体３の前記開口部３ｂに押し込む。すると、錠本体１１が回転されて解錠状態となる。そして、工具２０の係合鈎が蓋本体１１の裏面側に到達したところで、工具２０を回転させて両側の係合鈎の方向が蓋本体３の半径と交差する方向（横配置）にする。すると、両側の係合鈎は前記の開口部３裏面のリブ状壁の傾斜した下面３ｄに係合する。そして、この状態から工具２０を手前に引くと、係合鈎は傾斜した下面に沿って外側へ移動し、錠本体１１をさらに解錠方向へ移動させながら、蓋本体の３の片側を持ち上げることとなる。
【０００７】
特許文献３の施錠装置は、受枠２の内面に係合部３を設け、これに蓋側のフック５ａが係合して施錠状態となる構造である。フック５ａは施錠部材５に設けられ、施錠部材５は、蓋体１の周縁部裏面に支軸４で回動可能に吊持され、重量によって常時施錠方向に付勢されている。施錠部材５は、さらに、前記フック５ａとは逆の背側（蓋体の半径方向で中心側）に係止片８を蓋体の半径方向で中心側に突出させて有し、係止片８に下部挿入孔７を備える。一方、前記係止片８の直上であって蓋体１の裏面には、施錠部材５が上方へ回動するとき当接する位置に受棚１２が設けられている。そして、この受棚１２とその上部の蓋体１に、中間挿入孔１１と上部挿入孔９とが前記の係止片８における下部挿入孔７と挿入軸線を同じにして形成されている。
【０００８】
このタイプの施錠装置を解錠するときは、棒状のハンドル部の先端に係合鈎が両側に張り出してＴ字形とされた工具６を用いる。
まず、工具６を先端両側の係合鈎が蓋体１の半径方向に沿った配置（縦配置）としてその先端部を蓋体１の前記上部挿入孔９から、中間挿入孔１１及び下部係合挿入孔７に通す。次に、下部係合挿入孔７の下方で先端両側の係合鈎を９０°回転させ、施錠部材５の係止片８に工具６の係合鈎を係合させる。
次いで、そのまま工具６を引き上げると、施錠部材５は支軸４を中心に内側へ回動して解錠状態となる。そして、さらに工具６を引き上げると、係止片８は、蓋体１裏面の受棚１２の下面に当接するので、施錠部材ともども蓋体１が開かれる（引き上げタイプと呼ぶ）。
【０００９】
このように、開口部蓋の施錠装置には様々な構造のものがあり、その解錠に用いる工具が異なる。そして、地下空間構造物が設けられる目的（上水用、下水用、溝用、消防用あるいはガスや電力用など）、地域、あるいは地下空間構造物の管理団体によって使用されている施錠装置のタイプが異なる。
このため、東日本大震災のような広域災害時に、多種の地域や団体管理者（消防、警察、自衛隊、上水道、下水道、道路、河川、港湾等の管理者、各ガス会社、各電力会社、各通信会社、あるいは国外の自治体、消防、軍隊等）援助隊、作業者があつまり、混乱した中で地下空間構造物の蓋をあける必要が生じても、開閉工具が一致しない、開ける操作方法、開ける方向も違う等、直ちに解錠できないという緊急事態があった。
それは、セキュリティ性があればある程良いとされ、場所、管理者によって数十種類の鍵を設置してきた高度なセキュリティ体制、技術力のある日本特有の二次災害と考えられる。
そのため今回の施錠装置は、日本特有のセキュリティ体制を維持しつつ、広域災害に対応できる安全安心な施錠を、特に災害後の復興地域の管理者に提供するものである。
【先行技術文献】
【特許文献】
【００１０】
【特許文献１】特開２００２−３２７４４６号公報
【特許文献２】特開平２００５−３６５６０号公報
【特許文献３】特開平６−４１９９８号公報）
【発明の概要】
【発明が解決しようとする課題】
【００１１】
汎用されている前記３タイプの施錠機構（例えば、前記のフックタイプ、長孔タイプ、引き上げタイプ）に使用される工具のいずれによっても解錠できる施錠機構を備えた地下空間構造物の地上開口部構造の提供。
【課題を解決するための手段】
【００１２】
地下空間構造物の地上開口部構造であって、地上開口部において、受枠に蓋が着脱可能に嵌合されるとともに、蓋に第１、第２の工具を使用できる工具孔Ａと第３の工具を使用できる工具孔Ｂとを設ける。一方、受枠の内面にフック受けを設けると共に蓋の裏面に錠部材を回動可能に取付け、錠部材に前記フック受けに係合させるフックを設ける。
錠部材は蓋が閉じられている常時は、重錘やばねによる付勢によってフックがフック受けの直下に位置して蓋がそのまま上方へ持ち上げられるときは相互に係合する施錠状態とする。
【００１３】
そして、前記工具孔Ａと工具孔Ｂから差し込まれる第１〜第３の工具のいずれかにより、錠部材を前記のフック受けにフックが係合した施錠状態から、施錠状態を解除した解錠状態とに操作可能とする。
【００１４】
第１〜第３の工具は、解錠操作後、そのまま、蓋と枠との食い込みを解除するために使用できるようにすることがある。
前記の工具として、第１の工具は、棒状ハンドルの先端にハンドルの軸線から屈曲して延びる首部を有し、屈曲部を受枠との支点接触部にすると共に、首部の先端部に係合鈎を左右に張り出させた第１のＴ字形工具とすることがあり、第２の工具は棒状ハンドルの先端を前後方向に屈曲してフック形鈎に成形したフック形工具とすることがあり、また、第３の工具は棒状ハンドルの先端部に係合鈎を左右に張り出させた第２のＴ字形工具とすることがある。
【００１５】
蓋において、工具孔Ａ、Ｂは、蓋の選定半径線ａに沿って工具孔Ａを蓋の外周側として配置する。なお、選定半径線ａとは、工具孔Ａと工具孔Ｂを配置するために選定した半径方向との意味である。
工具孔Ａは、蓋の外周縁から中心側へ延びた長孔とし、その蓋中心側縁の裏面側に工具先端係合溝を備える。蓋を装着した状態で前記の工具先端係合溝と受枠内面の前記フック受け上面との間に挿し込み空間が形成されている。挿し込み空間は、第１の工具の左右係合鈎を前記選定半径線ａ方向に配置して、あるいは第２の工具のフックをその前後方向を前記選定半径線ａ方向に配置して、いずれであってもその選択したものを収容可能な大きさである。
【００１６】
前記の挿し込み空間に臨んで錠部材の上部が前記選定半径線ａと直交する軸線方向の軸部で回転可能に支持される。
錠部材は、前記軸部の回りに第１受動部とフック及び第２受動部を備える。
施錠状態において、第１受動部は前記差し込み空間内において、前記軸部に対して選定半径線ａ方向で外方に位置し、上端部が工具孔Ａの開口箇所近くに位置し、下部が前記フック受けの上面近くに位置しており、フックは受枠のフック受けの下方にフック受けと係合可能な箇所に位置しており、第２受動部は前記軸部に対して選定半径線ａの中心側で前記工具孔Ｂの直下まで延びた構造とすることがある。
【００１７】
この構造によれば、工具孔Ａに第１の工具が挿し込まれると、第１の工具の係合鈎あるいは第２の工具のフック形鈎部によって、錠部材の第１受動部が下方へ回転されてフックがフック受けに対して解錠状態になる。同時に、第１の工具の係合鈎の一端あるいは第２の工具のフック形鈎部のフック先端が前記の工具先端係合溝へ係合し、受枠に対する蓋の食い込みを解消するこじり操作が可能となる。
また、工具孔Ｂに挿し込まれる第３の工具により、錠部材の第２受動部が上方へ回転されてフックがフック受けに対して解錠状態になる。同時に、錠部材の一部が受枠に当接して生じるこじり作用により、受枠に対する蓋の食い込みを解消することができる。
【発明の効果】
【００１８】
管理者で汎用されている特殊な３タイプの施錠機構（装置）に用いる工具のどれでも地下空間構造物の地上開口部を開けることができる。このため、緊急の場合や異なる地域や業種から集まった管理者、応援者、作業者等であっても、スムーズに作業を進めることができる。
また、緊急時、従来の蓋と鍵では内部に人が閉じ込められてしまう恐れがあるが、地下に作業者が閉じ込められてしまった場合でも、地下より鍵の第二受動部を手や工具等で上方へ押したたいて、蓋の食い込みと鍵を解除できる構造でもあるので、蓋を押し上げて緊急脱出ができる。なお、第二受動部に取手やハンドル等を付けてもよい。
【図面の簡単な説明】
【００１９】
【図１】地下空間構造物の地上開口部を分解して示した斜視図。
【図２】図１の半径線ａを含む直径に沿った縦断面図（実施例１）。
【図３】蓋の一部を示した平面図。
【図４】図３のＩ‐Ｉ線に沿った縦断面図（実施例１）。
【図５】図３のＩ‐Ｉ線に沿った縦断面を斜視的に示した図。
【図６】工具孔Ａ、Ｂ部分を上方から透視した模式的な平面図。
【図７】第１の工具の（イ）正面図、（ロ）側面図、（ハ）平面図。
【図８】第２の工具の（イ）正面図、（ロ）側面図、（ハ）平面図。
【図９】第３の工具の（イ）正面図、（ロ）側面図、（ハ）平面図。
【図１０】作業状態を示す縦断面図（第１の工具の１）。
【００２０】
【図１１】作業状態を示す縦断面図（第１の工具の２）。
【図１２】作業状態を示す縦断面図（第１の工具の３）。
【図１３】作業状態を示す縦断面図（第２の工具の１）。
【図１４】作業状態を示す縦断面図（第２の工具の２）。
【図１５】作業状態を示す縦断面図（第３の工具）。
【図１６】適合しない工具で蓋を開けようとするときの例（縦断面図）。
【図１７】作業状態を示す縦断面図（実施例２、第１の工具）であり、（イ）は工具挿入時、（ロ）は蓋持ち上げ時。
【図１８】泥落しの作業状態を示す縦断面図（実施例２）。
【発明を実施するための形態】
【００２１】
この発明において、地下空間構造物は管理者、作業者の立ち入りの有無や大小に限らず、地下に空間を構成し地上に開口部を有するもの一般を意味する。
以下、その一つの地下空間構造物として下水道と地上とを連絡するマンホールを取り上げ、その開口部構造を図面に基づき詳細に説明する。
〔実施例１〕
図１及び図２に示すように、マンホール１は、立ち上げ管２、蓋３及び受枠４で構成される。立ち上げ管２は、地中に埋設されて内部に作業者が立ち入れる筒状空間を有している。立ち上げ管２の下端は下水道管に通じ、上端はマンホール１の地上開口部となっている。
立ち上げ管２はコンクリート製でその上端にアンカーボルト５が上方に向けて埋設されている。
【００２２】
受枠４は環状でこの実施例において鉄製であり、前記のアンカーボルト５によって立ち上げ管２に固定される（図２）。受枠４は内面にフック受け６を有している。
蓋３はこの実施例において円形で鉄製であり、受枠４に嵌め込んで装着する（図２）。  蓋３は、外周縁に工具孔Ａと工具孔Ｂを蓋３の半径（図１、半径線ａ、図３）に沿って有している。
蓋３の裏面側には、ヒンジ機構７と施錠機構８が配置され、ヒンジ機構７により、蓋３が受枠４に対して回動して開閉かつ取り外し可能に取り付けられると共に、施錠機構８により、開口を閉じた蓋３が受枠４に対して施錠される構造とされている。
【００２３】
ヒンジ機構７は、この実施例において、蝶番棒９と蝶番座１０を備える。
蝶番棒９は、前記の選定半径線ａと反対側の半径線ｂに沿って配置され、外側へ少し湾曲された棒状体であり、中間の外側に蝶番側フック１１を備えている。この蝶番棒９は上部が半径線ｂと直交する方向の軸１２に蓋３の裏面に軸支され、軸１２によって内外方向に回転可能とされている。蝶番側フック１１は受枠４の内面に形成された蝶番側フック受け部１３と対向しており、地下空間からの風圧で蓋３が直上に持ち上げられるとき係合する配置とされている。
蝶番座１０は環状のリングであって、受枠４へボルト１４で保持されており、自由に回転及び傾斜することができる。蓋３は、前記の蝶番棒９を前記蝶番座１０に挿通させて閉じられる。
【００２４】
施錠機構８については後述する。
前記の受枠４、蓋３、ヒンジ機構７及び施錠機構８とで地下空間構造物の地上開口部が構成されている。
【００２５】
施錠機構８は、蓋３に設けた前記の工具孔Ａと工具孔Ｂ及び工具孔Ａの直下に軸支され、工具孔Ａから工具孔Ｂにかけて配置された錠部材１５を有する（図４）。
蓋３の裏面側で工具孔Ａの直下には、受枠４に対して蓋３が閉じられたとき、受枠４の内面と前記フック受け６の上面及び蓋３とで挿し込み空間１６が形成される(図４)。挿し込み空間１６の蓋中心側壁、すなわち、工具孔Ａを構成する長孔の蓋中心側壁は下方へ延長されると共に、中心側に向かって凹むと共に上面にも凹みを持つ壁とされている。この上面の凹みは、後述の工具の先端を係合するための工具先端係合溝１７である。
工具孔Ａは、選定半径線ａに沿って蓋３の外周縁から蓋３の中心側へ延びた長孔（外周側が開放された長孔）であって、蓋３の裏面側に貫通している。工具孔Ｂは、選定半径線ａ上で工具孔Ａよりも蓋３の中心側（内側）に位置した貫通孔である。
【００２６】
錠部材１５は、上部が選定半径線ａと直交する方向の軸線を持つ軸部１８により前記挿し込み空間１６の下部に回転可能に、蓋３の裏面に軸支された部材であり、第１受動部１９、第２受動部２０、錠部材フック２１及び重錘部２２を備える（図４）。図４は施錠状態であって、錠部材１５は重錘部２２による付勢とばねとによって軸部１８を中心に回転されてフック２１が受枠４側のフック受け６の直下に位置した状態となっている。
この時、第１受動部１９は、錠部材１５の上部に位置し、前記挿し込み空間１６の内部において外周寄りに位置し、上端部が挿し込み空間１６の上方開口部近くに、また、下端部は前記フック受け６の上面から間隔ｄ１を開けた箇所に位置している。そして、錠部材１５が前記軸部１８の回りに回転したとき、第１受動部１９の全体が挿し込み空間１６内で一定の範囲を回転できるようになっている。
【００２７】
第２受動部２０は錠部材１５において前記の第１受動部１９とは軸部１８に対して反対側、すなわち、前記半径線ａの中心側に延出した平らな部材であり、前記工具孔Ｂの下部となる位置に工具孔Ｃを備えている。
なお、この実施例において工具孔Ｂは、直下に空間２３(図４)をとって受け棚２４を有し、受け棚２４に工具孔Ｄが形成されている。工具孔Ｄは前記の工具孔Ｂと工具孔Ｃとの間に位置している。
【００２８】
図４において符号２５ａ、２５ｂはゴムカバーであり、蓋３を閉じた後、工具孔Ａや工具孔Ｂから雨水や土砂が侵入するのを防止する。
図４，５において、符号２６は側方支持凹所であり、前記工具孔Ａの両側に対向して形成されている。また、符号２７は支点凹所であり、工具孔Ａの開口側に対向した受枠４の頂面を一部分だけ切り欠く形態で形成されている。
以上に説明した各工具孔Ａ，Ｂ，Ｃ，Ｄ、錠部材１５の第１受動部１９、第２受動部２０、挿し込み空間１６、工具先端係合溝１７、軸部１８などを上方からの透視図として表すと図６の配置となる。
【００２９】
蓋３を開閉するときは、第１の工具２８（図７）、第２の工具２９（図８）、第３の工具３０（図９）を用いる。
第１、第２の工具２８，２９は前記工具孔Ａに挿し込んで使用するものであり、第３の工具３０は工具孔Ｂ，Ｃ，Ｄに挿し込んで使用する。
第１の工具２８は、棒状ハンドル３１の先端にハンドルの軸線から屈曲して延びる首部３２を有し、その先端部に係合鈎３３を左右に張り出させたＴ字形の工具である。左右の係合部３３を縦方向（選定半径線ａに並んだ方向）として工具孔Ａを貫通させることができるが、横方向（半径線ａに交差する方向）にすると工具孔Ａの両側で蓋３の裏面に衝突して抜け出ることができない寸法である。
【００３０】
第２の工具２９は、棒状ハンドル３１の先端を前後方向（半径線ａに沿った方向）に上方へ屈曲してフック形の鈎部３４に成形したフック形工具であり、左右に支持突起３５を有すると共に、外面側（フック形状部分と反対側）に支点突起３６を備えている。
フック形の鈎部３４を縦方向として工具孔Ａに貫通させ、左右の支持突起３５を工具孔Ａの両側に設けた側方支持凹所２６へ係合させることができる。また、フック形の鈎部３４を挿し込み空間１６へ挿し込んだ後、支持突起３５を軸にして棒状ハンドル３１を外方（蓋３の外周へ向かう方向）へ回転させると、このフック形の鈎部３４と前記の支点突起３６をともに挿し込み空間１６へ滑り込ませることができる。
【００３１】
第３の工具３０は、棒状ハンドル３１の先端部に係合鈎３７を左右に張り出させた第２のＴ字形工具であり、左右の係合鈎３７を縦方向として工具孔Ｂを貫通させることができる。前記の工具孔Ｃ，Ｄに関しては係合鈎３７を棒状ハンドル３１で回転させて選定半径線ａに直交させることが必要である。
【００３２】
蓋３が閉じられ、施錠された地下空間構造物の地上開口部は次のように解錠され、開かれる。
〔第１の工具の場合〕
図４の状態において、ゴムカバー２５ａを除去し、第１の工具２８を図１０のように、首部３２の先端に設けた左右の係合鈎３３を縦方向として工具孔Ａに臨ませ、中心側となった係合鈎３３を挿し込み空間１６に挿し込んで工具先端係合溝１７の縁に当接させ、外周側となったもう一方の係合鈎３３を錠部材１５の第１受動部１９の先端部に当接させる。すると、錠部材１５の第１受動部１９が外周側に押されて、錠部材１５は第１受動部１９の下端が受枠４側のフック受け６の上面に当接するまで右方向に回転し、錠部材フック２１がフック受け６の直下から少し外れた解錠状態となる。
【００３３】
この状態から、さらに棒状ハンドル３１を外周側へ回転させると、前記中心側の係合鈎３３は外周側の係合鈎３３と第１受動部１９との接触箇所（上端部）を支点として、図において右に回転し、前記中心側の係合鈎３３の先端が工具先端係合溝１７の縁を上方へ持ち上げ、“こじり”作業が行われる。これにより、蓋３の外周面と受枠４の外周面とが密着した“喰い付き”状態が解除される。（図１１）
【００３４】
ついで、第１の工具２８を持ち直し、挿し込み空間１６へ中心側係合鈎３３を深く挿し込み（この操作は、前記のこじり作業によって蓋３が少し持ち上がった状態となっているので楽に行える）、棒状ハンドル３１を外周側へ回転させると外周側係合鈎３３によって錠部材１５の第１受動部１９が右に回転され解錠状態が維持される。そして、そのまま持ち上げると、蓋３の一端部を開くことができる。さらに、蓋３の端部を持ち上げた状態で、前記の蝶番棒９を軸にして水平回転させることにより地下空間構造物の開口部を開くことができる。
蓋３を閉じるときはこの逆を行えばよい。蓋３が受枠４に嵌め込まれると、錠部材１５の重錘部とばね等との付勢で施錠状態となる。
【００３５】
〔第２の工具の場合〕
図４の状態において、ゴムカバー２５ａを除去し、第２の工具２９を図１３のように、フック鈎部３４を縦方向として工具孔Ａに臨ませる。ついで、フック鈎部３４の先端を挿し込み空間１６に挿し込んで工具先端係合溝１７の縁に当接させ、後部の支点突起３６を受枠４側の支点凹所２７に配置する。なお、この状態では、左右両側に張り出した支持突起３５は、工具孔Ａの上方に位置しており、側方支持凹所２６に嵌ってはいない。また、錠部材１５は第１受動部１９がフック鈎部３４の後面（外周側）で外周側に押され、錠部材フック２１がフック受け６の直下から少し外れた解錠状態となっている。
【００３６】
そして、棒状ハンドル３１を外周側へ回転させると、フック鈎部３４は支点突起３６と支点凹所２７との接点を支点として、図において右に回転し、フック鈎部３４の先端が工具先端係合溝１７の縁を上方へ持ち上げ、最初の“こじり”作業が行われる。これにより、蓋３の外周面と受枠４の外周面とが密着した状態の“喰い付き”が解除される。
【００３７】
ついで、第２の工具２９を持ち直し、挿し込み空間１６へフック係合部３４を深く挿し込み、前記の支点突起３６が挿し込み空間１６に入り込むくらいに回転させる。この状態では、図１４のように、第２工具２９のフック鈎部３４の先端は工具先端係合溝１７に嵌り込み、また、左右に突出した支持突起３５が受枠４側の側方支持凹所２６に嵌り込んで位置決めされる。さらに、棒状ハンドル３１を外周側へ回転させると、フック鈎部３４は支持突起３５と側方支持凹所２６との接点を支点として、図において右に回転し、フック鈎部３４の先端が工具先端係合溝１７を上方へ持ち上げ、前記に続く“こじり”作業が行われて、蓋３の外周面と受枠４の外周面とが密着した状態の“喰い付き”が解除されると共に、すでに解錠されている蓋３の一端が開く。そして、第１の工具２８の場合と同様に、端部を持ち上げた状態で、蓋３を前記の蝶番棒９を軸にして水平回転させることにより地下空間構造物の地上開口部を開くことができる。
蓋３を閉じるときはこの逆を行えばよい。蓋３が受枠４に嵌め込まれることで、錠部材１５の重錘部とばね等との付勢で施錠状態となる。
【００３８】
〔第３の工具の場合〕
図４の状態において、ゴムカバー２５ｂを除去し、第３の工具３０を図１５のように、係合鈎３７を縦方向として工具孔Ｂに挿し込み、そのまま受け棚２４の工具孔Ｄ及び錠部材１５の第２受動部２０の工具孔Ｃを貫通させ、第２受動部２０を貫通したところで棒状ハンドル３１を回転させて先端部左右の係合鈎３７を第２受動部２０の裏面に係合させる。
次いで、第３の工具３０を引き上げると、錠部材１５が軸部１８を中心に回動して錠部材フック２１がフック受け６の直下から外れ、解錠状態となる。第３の工具３０をさらに引き上げると、錠部材１５の第２受動部２０が蓋３側の受け棚２４の裏面に接合し、そのまま蓋３が錠部材１５と共に上方へ移動され、受け枠４に対して蓋３が開けられる。
これより後の作業は第１の工具２８、第２の工具２９の場合と同様である。
【００３９】
以上のように、この発明の地下空間構造物の地上開口部構造は、蓋３に工具孔Ａと工具孔Ｂの二つを備え、第１の工具２８、第２の工具２９及び第３の工具３０のどれを用いても施錠されている蓋を解錠し、開くことができる。
したがって、例えば、工具孔Ａを前記の長孔タイプやフックタイプの施錠機構に適合したものとし、また、工具孔Ｂの施錠機構を前記の引き上げタイプとしておけば、これらは我が国において広く普及している施錠機構であるから、これらの施錠機構に適合した第１の工具２８、第２の工具２９及び第３の工具３０を所有している作業所や自治体は多く、しかも、前記のように、どの工具でも解錠することができるから、災害時などの緊急時に集まった作業者が地下空間構造物を開口することができなかったり、手間取ったりすることが無い。
【００４０】
一方、実施例の構造であれば、図１６に示すように、例えば、つるはしの先端部のような第１〜第３の工具以外の棒状金具３８（３８ａ，３８ｂ）で蓋３を開けようとしても、直上から挿し込んだ場合（３８ａ）には、錠部材１５を回転させることができないので解錠できない。また、蓋３の外周側から斜行させて、先端部を蓋裏面の工具先端係合溝１７に引っ掛けることができたとしても（３８ｂ）、錠部材１５を回動させることができず解錠できないから、蓋３を開くことはできない。
したがって、実施例の地下空間構造物の地上開口部構造は、いたずらやつるはしで蓋３を開けようとするような第三者、テロリスト等に対して安全である。
【００４１】
〔実施例２〕
図１７は実施例２を示したものであり、前記の実施例１とは、蓋３における工具孔Ａに関する構造と錠部材１５における錠部材フック２１の構造が異なる。他の部分は実施例１と格別変わるところはない。
前記の工具孔Ａに関する構造では、実施例１の工具孔Ａが外周側に開放された長孔であるのに対し、実施例２では外周側が開放されていない長小判形の長孔である。この長孔は、蓋３の裏面側に貫通し、前記の選定半径線ａに沿って蓋３の外周側から蓋３の中心側へ延びている。したがって、図１７の断面図（前記の選定半径線ａに沿っている）では、工具孔Ａの外周側の壁３９が見えており、この壁３９の内周側縁の上部に支点凹所２７が形成されている。
また、前記長孔の中心側壁の裏面側に工具先端係合突起４０が垂下して形成されている。
【００４２】
錠部材フック２１の構造に関しては、実施例１と第１受動部１９の外周側面の形態が異なる。また、軸部１８に関して第１受動部１９とは反対側の蓋中心側に叩き突部４１を有する。
第１受動部１９の外周側面は、実施例1では外周側へ凸面となっているのに対して、実施例２では、上下方向の中間部に凹所４２を有し、一体ではあるが側面からみると上部と下部に分離しているように見える（図１７）。
叩き突部４１は軸部１８から中心側へほぼ水平に延び出している。
【００４３】
第１の工具２８で蓋３を開けるときは、実施例1の場合と同様、図１７（イ）のように、第１の工具２８の係合鈎３３を縦にして工具孔Ａの挿し込み空間１６へ挿し込み、中心側の係合鈎３３の先端を工具先端係合突起４０に下方から当てつけ、棒状ハンドル３１を外周側へ倒す。すると、第１の工具２８先端の係合鈎３３が回転して、外周側の係合鈎３３が第１受動部１９の上端に当接し、錠部材１５を軸１８の回りに右回転させる。そして、第１受動部１９の下端が、前記フック受け６の上面に当接すると、以後、前記の外周側係合鈎３３はこの箇所を支点として右回転するので、中心側の係合鈎３３の先端が蓋３の工具先端係合突起４０を下方から突き上げ、蓋３が上方へこじられる。
【００４４】
次いで、棒状ハンドル３１を回転して第１の工具２８先端の係合鈎３３を横方向にし、長孔（装着孔Ａ）の長手方向両側に係合鈎３３の端部を係合させる（図１７ロ）。そして、そのまま引き上げることで蓋３を開けることができる。
第２の工具２９、第３の工具３０によって蓋３を開ける場合も実施例１で説明したのと同様である。
実施例２の構造は、前記のように、外周側の壁３９を残存させているので、蓋３の外周に設けるテーパー面壁に周方向で途切れがなく、蓋３と受枠４間の密閉性が良い。このため、汚水用のマンホール蓋として好適である。また、錠部材１５における第１受動部１９の外周側面に凹所４２が存在すると、蓋外周側の壁３９との間に土砂の堆積が少なくなり、蓋開閉のための保守が軽減される。
【００４５】
蓋３を閉じる作業は前記の蓋３を開ける手順とほぼ逆を行えばよい。そして、蓋３を閉じ、例えば第１の工具２８を工具孔Ａから抜き取った後、錠部材１５の第１受動部１９の上端が正規の位置（工具孔Ａのほぼ中央）にあるか確認する。中央にあるときは、錠部材フック２１が受枠４側のフック受け６の直下に位置しており、施錠状態であることがわかる。一方、前記第１受動部１９の上端が見えないか外周側に偏っているときは錠部材１５が何らかの理由でもとの位置に戻れず、施錠状態となっていないことを意味する。このような場合、通常は再度蓋３を開け、錠部材１５回りの再清掃や確認をする必要がある。
しかし、実施例２の構造では、このとき、図１８のように、工具孔Ａから棒材４３を突っ込み、錠部材１５の上部に設けてある叩き突起４１を繰り返し押圧して、錠部材１５を受枠４の内面側へ叩きつけ、錠部材１５がもとへ戻れない原因、例えば、付着した泥や錆びを除去することができる。
【００４６】
また、前記したような災害時の尋常ではない雰囲気の中では、地上開口部から作業に入った作業者が、何らかの不都合でマンホールなどの地下空間に閉じ込められてしまう虞れもある。そのような場合、内部から開口部蓋を開けようとしても、蓋の重量や蓋の周囲と受枠との喰いつきなどから、開けることは極めて困難といえる。
しかし、実施例２の錠部材１５の構造によれば地下に作業者が閉じ込められても作業者は落ち着いて錠部材１５の中心側へ長く伸びた第２受動部２０を上方へ押し上げると（図１７矢印）、錠部材１５に設けた第１受動部１９の下端と受枠４のおけるフック受け６の上面との当接箇所を支点とし、軸部１８を介して蓋３がわずかに上方へ移動し、こじられる。これにより、蓋３と受枠４との喰いつきは解消して、後は肩で内側から蓋３を上方へ押し上げることができるから、閉じ込められて脱出不能という事態から免れる。
【００４７】
以上、実施例について説明した。
工具孔Ａ、工具孔Ｂに対応させて設ける施錠機構８は、実施例のものに限定されない。
複数の工具孔が設けられ、これに対応した施錠機構８と解錠のために適合した複数の工具が準備されることが重要である。
蓋３は、親蓋とこれに設けた出入り口を開閉する子蓋とからなる、いわゆる親子蓋の場合にも適用できる。
【符号の説明】
【００４８】
１    マンホール（地下空間構造物）
２    立ち上げ管
３    蓋
４    受枠
５    アンカーボルト
６    フック受け
７    ヒンジ機構
８    施錠機構
９    蝶番棒
１０  蝶番座
【００４９】
１１  フック
１２  軸
１３  フック受け部（蝶番側）
１４  ボルト
１５  錠部材
１６  挿し込み空間
１７  工具先端係合溝
１８  軸部
１９  第１受動部
２０  第２受動部
【００５０】
２１  錠部材フック
２２  重錘部
２３  空間
２４  受け棚
２５  ゴムカバー
２６  側方支持凹所
２７  支点凹所
２８  第１の工具
２９  第２の工具
３０  第３の工具
【００５１】
３１  棒状ハンドル
３２  首部
３３  係合鈎
３４  フック鈎部
３５  支持突起
３６  支点突起
３７  係合鈎（第３の工具の）
３８  棒状金具
３９  外周側の壁
４０  係合突起
４１  叩き突起
４２  凹所
４３  棒材
【図１】
2015206238.tif 000003
【図２】
2015206238.tif 000004
【図３】
2015206238.tif 000005
【図４】
2015206238.tif 000006
【図５】
2015206238.tif 000007
【図６】
2015206238.tif 000008
【図７】
2015206238.tif 000009
【図８】
2015206238.tif 000010
【図９】
2015206238.tif 000011
【図１０】
2015206238.tif 000012
【図１１】
2015206238.tif 000013
【図１２】
2015206238.tif 000014
【図１３】
2015206238.tif 000015
【図１４】
2015206238.tif 000016
【図１５】
2015206238.tif 000017
【図１６】
2015206238.tif 000018
【図１７】
2015206238.tif 000019
【図１８】
2015206238.tif 000020